【手続補正書】
【提出日】平成25年10月7日(2013.10.7)
【手続補正１】
【補正対象書類名】明細書
【補正対象項目名】発明の名称
【補正方法】変更
【補正の内容】
【発明の名称】画像処理装置および画像処理方法
【手続補正２】
【補正対象書類名】明細書
【補正対象項目名】０００１
【補正方法】変更
【補正の内容】
【０００１】
本発明は、インクを吐出する複数のノズルを配列したノズル列を有する記録ヘッドを用いて記録媒体上に画像を形成するためのデータを処理する画像処理装置および画像処理方法に関する。
【手続補正３】
【補正対象書類名】明細書
【補正対象項目名】０００６
【補正方法】変更
【補正の内容】
【０００６】
上記課題を解決するため、本発明の画像処理装置は以下の構成を備える。
本発明の第１の形態は、第１のインクを吐出する複数のノズルが配列された第１のノズル列のうち一部のノズルを含む第１のノズル群および第２のインクを吐出する複数のノズルが配列された第２のノズル列のうち一部のノズルを含む第２のノズル群を用いて記録媒体上の第１の領域に画像を記録し、前記第１のノズル列のうち前記第１のノズル群のノズルとは異なるノズルを含む第３のノズル群および前記第２のノズル列のうち前記第２のノズル群とは異なるノズルを含む第４のノズル群を用いて前記第１の領域とは異なる第２の領域に画像を記録するための画像処理装置であって、前記第１のインク及び前記第２のインクを用いて前記第１の領域に記録されたパッチを測定した第１の色値と、前記第１のインク及び前記第２のインクを用いて前記第２の領域に記録されたパッチを測定した第２の色値と、を取得する取得手段と、前記取得手段により取得された第１の色値及び第２の色値に基づいて目標値を決定する第１決定手段と、前記第１決定手段により決定された前記目標値に基づき、前記第１の領域に記録すべき画像の画像データを補正するための第１補正パラメータと、前記第２の領域に記録すべき画像の画像データを補正するための第２補正パラメータと、を決定する第２決定手段と、を備えることを特徴とする。
【手続補正４】
【補正対象書類名】明細書
【補正対象項目名】０００７
【補正方法】変更
【補正の内容】
【０００７】
本発明の第２の形態は、第１のインクを吐出する複数のノズルが配列された第１のノズル列のうち一部のノズルを含む第１のノズル群および第２のインクを吐出する複数のノズルが配列された第２のノズル列のうち一部のノズルを含む第２のノズル群を用いて記録媒体上の第１の領域に画像を記録し、前記第１のノズル列のうち前記第１のノズル群のノズルとは異なるノズルを含む第３のノズル群および前記第２のノズル列のうち前記第２のノズル群とは異なるノズルを含む第４のノズル群を用いて前記第１の領域とは異なる第２の領域に画像を記録するための画像処理方法であって、前記第１のインク及び前記第２のインクを用いて前記第１の領域に記録されたパッチを測定した第１の色値と、前記第１のインク及び前記第２のインクを用いて前記第２の領域に記録されたパッチを測定した第２の色値と、を取得する取得工程と、前記取得工程において取得された第１の色値及び第２の色値に基づいて目標値を決定する第１決定工程と、前記第１決定工程において決定された前記目標値に基づき、前記第１の領域に記録すべき画像の画像データを補正するための第１補正パラメータと、前記第２の領域に記録すべき画像の画像データを補正するための第２補正パラメータと、を決定する第２決定工程と、を備えることを特徴とする。
【手続補正５】
【補正対象書類名】特許請求の範囲
【補正対象項目名】全文
【補正方法】変更
【補正の内容】
【特許請求の範囲】
【請求項１】
第１のインクを吐出する複数のノズルが配列された第１のノズル列のうち一部のノズルを含む第１のノズル群および第２のインクを吐出する複数のノズルが配列された第２のノズル列のうち一部のノズルを含む第２のノズル群を用いて記録媒体上の第１の領域に画像を記録し、前記第１のノズル列のうち前記第１のノズル群のノズルとは異なるノズルを含む第３のノズル群および前記第２のノズル列のうち前記第２のノズル群とは異なるノズルを含む第４のノズル群を用いて前記第１の領域とは異なる第２の領域に画像を記録するための画像処理装置であって、
前記第１のインク及び前記第２のインクを用いて前記第１の領域に記録されたパッチを測定した第１の色値と、前記第１のインク及び前記第２のインクを用いて前記第２の領域に記録されたパッチを測定した第２の色値と、を取得する取得手段と、
前記取得手段により取得された第１の色値及び第２の色値に基づいて目標値を決定する第１決定手段と、
前記第１決定手段により決定された前記目標値に基づき、前記第１の領域に記録すべき画像の画像データを補正するための第１補正パラメータと、前記第２の領域に記録すべき画像の画像データを補正するための第２補正パラメータと、を決定する第２決定手段と、
を備えることを特徴とする画像処理装置。
【請求項２】
前記第１決定手段は、前記第１の領域および前記第２の領域を含む前記複数の領域にそれぞれ記録された複数のパッチを測定した複数の色値に基づいて、平均値、最大値、最小値のいずれか一つを算出し、算出した値を前記目標値として決定することを特徴とする請求項１に記載の画像処理装置。
【請求項３】
前記第１決定手段は、前記第１の領域および前記第２の領域を含む前記複数の領域にそれぞれ記録された複数のパッチを測定した複数の色値のうち、所定の色値からの色空間上の距離が一定距離以内である色値に基づいて、平均値、最大値、最小値のうちいずれか一つを算出し、算出した値を前記目標値として決定することを特徴とする請求項１に記載の画像処理装置。
【請求項４】
前記パッチを測定する測定手段をさらに備え、前記取得手段は、前記測定手段が測定した測定結果に基づいて色値を取得することを特徴とする請求項１から３のいずれか１項に記載の画像処理装置。
【請求項５】
前記測定手段はスキャナであることを特徴とする請求項４に記載の画像処理装置。
【請求項６】
前記第１補正パラメータおよび前記第２補正パラメータは、所定の複数の色信号が入力される場合に前記第１のノズル群及び前記第２ノズル群を用いて前記第１の領域に前記第１のインクおよび前記第２のインクを吐出することにより記録される画像の色と、前記所定の複数の色信号が入力される場合に、前記第３のノズル群及び前記第４のノズル群を用いて前記第２の領域に前記第１のインクおよび前記第２のインクを吐出することにより記録される画像の色と、の差を低減するためのパラメータであることを特徴とする請求項１から５のいずれか１項に記載の画像処理装置。
【請求項７】
前記第１補正パラメータおよび前記第２補正パラメータは、入力されたＲ、Ｇ、Ｂの色信号に対してＲ、Ｇ、Ｂの色信号を出力するためのパラメータであることを特徴とする請求項１から６のいずれか１項に記載の画像処理装置。
【請求項８】
前記第１補正パラメータを用いて前記第１の領域に記録すべき画像の画像データを補正し、前記第２補正パラメータを用いて前記第２の領域に記録すべき画像の画像データを補正する補正手段をさらに備えることを特徴とする請求項１から７のいずれか１項に記載の画像処理装置。
【請求項９】
第１のインクを吐出する複数のノズルが配列された第１のノズル列のうち一部のノズルを含む第１のノズル群および第２のインクを吐出する複数のノズルが配列された第２のノズル列のうち一部のノズルを含む第２のノズル群を用いて記録媒体上の第１の領域に画像を記録し、前記第１のノズル列のうち前記第１のノズル群のノズルとは異なるノズルを含む第３のノズル群および前記第２のノズル列のうち前記第２のノズル群とは異なるノズルを含む第４のノズル群を用いて前記第１の領域とは異なる第２の領域に画像を記録するための画像処理方法であって、
前記第１のインク及び前記第２のインクを用いて前記第１の領域に記録されたパッチを測定した第１の色値と、前記第１のインク及び前記第２のインクを用いて前記第２の領域に記録されたパッチを測定した第２の色値と、を取得する取得工程と、
前記取得工程において取得された第１の色値及び第２の色値に基づいて目標値を決定する第１決定工程と、
前記第１決定工程において決定された前記目標値に基づき、前記第１の領域に記録すべき画像の画像データを補正するための第１補正パラメータと、前記第２の領域に記録すべき画像の画像データを補正するための第２補正パラメータと、を決定する第２決定工程と、
を備えることを特徴とする画像処理方法。